(57)【特許請求の範囲】
【請求項１】
認証すべき指を接触させるスキャン面を有する指紋認証機と、
前記スキャン面に面するように設置され、閉状態で前記スキャン面を被覆し、開状態で前記スキャン面を露出するように開閉するシャッターと、
クリーニングを行うクリーナーと、
前記シャッターを閉状態にした時に、前記クリーナーを前記スキャン面に接触させて前記スキャン面の前記クリーニングを行い、前記クリーニングが完了すると前記シャッターを開状態にする駆動部と
を備え、
前記指紋認証機は、設置位置の移動が可能であり、
前記駆動部は、前記指紋認証機の設置位置を移動し、前記指紋認証機を移動しながら前記クリーナーを前記スキャン面に接触させて、前記クリーナーのクリーニングテープを前記指紋認証機の移動方向と逆方向に回転させて前記スキャン面の前記クリーニングを行うように駆動する
指紋認証機クリーニング装置。
【請求項２】
請求項１に記載の指紋認証機クリーニング装置であって、
前記駆動部が、ラック＆ピニオンか、またはウォームホイールを用いて構成される
指紋認証機クリーニング装置。
【請求項３】
請求項１または請求項２に記載の指紋認証機クリーニング装置であって、
前記駆動部は、前記指紋認証機から前記認証処理の開始を通知されると、前記シャッターを駆動して閉状態にし、前記スキャン面のクリーニングが完了すると前記シャッターを駆動して開状態にする
指紋認証機クリーニング装置。
【請求項４】
請求項１または請求項２に記載の指紋認証機クリーニング装置であって、
前記駆動部は、前記指紋認証機から前記認証処理の完了を通知されると、前記シャッターを駆動して閉状態にし、前記スキャン面のクリーニングが完了した後も前記シャッターを閉状態で保持し、前記指紋認証機から前記認証処理の開始を通知されると、前記シャッターを駆動して開状態にする
指紋認証機クリーニング装置。
【請求項５】
請求項１から請求項４までのいずれかに記載の指紋認証機クリーニング装置であって、
前記クリーナーが、着脱式で交換可能である
指紋認証機クリーニング装置。
【請求項６】
認証すべき指を接触させるスキャン面に面するように設置され、閉状態で前記スキャン面を被覆し、開状態で前記スキャン面を露出するように開閉するシャッターを閉状態にするステップと、
クリーナーを前記スキャン面に接触させて前記スキャン面の前記クリーニングを行うステップと、
前記クリーニングが完了した後に前記シャッターを開状態にするステップと
を備え、前記クリーニングを行うステップは、
前記指紋認証機の設置位置を移動するステップと、
前記指紋認証機を移動しながら前記クリーナーを前記スキャン面に接触させるステップと、
前記クリーナーのクリーニングテープを前記指紋認証機の移動方向と逆方向に回転させて前記スキャン面の前記クリーニングを行うステップ
を含む指紋認証機クリーニング方法。
【請求項７】
請求項６に記載の指紋認証機クリーニング方法であって、前記開閉するシャッターを閉状態にするステップは、
前記認証処理の開始を通知されると、前記シャッターを閉状態にするステップ
を含む指紋認証機クリーニング方法。
【請求項８】
請求項６に記載の指紋認証機クリーニング方法であって、前記開閉するシャッターを閉状態にするステップは、
前記指紋認証機から前記認証処理の完了を通知されると、前記シャッターを閉状態にするステップと
を含み、
前記クリーニングが完了した後に前記シャッターを開状態にするステップは、
前記スキャン面のクリーニングが完了後も前記シャッターの閉状態を保持するステップと、
前記指紋認証機から前記認証処理の開始を通知されると、前記シャッターを開状態にするステップと
を含む指紋認証機クリーニング方法。
【請求項９】
請求項６から請求項８までのいずれかに記載の指紋認証機クリーニング方法であって、
前記クリーナーを着脱して交換するステップ
をさらに備える指紋認証機クリーニング方法。
【発明の詳細な説明】
【技術分野】
【０００１】
本発明は、指紋認証機のクリーニング装置に関する。
【背景技術】
【０００２】
指紋認証機は、スキャンガラス面に接触させた指へ光源から光を照射し、撮像装置によって指からの反射光を取り込み、予め登録された指紋パターンと照合を行って個人を特定する。今日、情報処理装置のセキュリティ強化に注目集まっており、指紋認証機は、その一例として導入が進んでいる。指紋認証機の導入拡大に伴い、多数の人間によって同一の指紋認証機を使用する場面が増加している。そのため、指紋認証機は、認証処理の高速性や正確性が求められている。
【０００３】
一方で、指紋認証機は、いくつかの課題を有している。まず、指紋認証機は、スキャンガラス面に指を直接に接触させるため、指の汚れや皮脂等がスキャンガラス面に付着することにより、認識率が低下するという課題がある。また、指紋認証機は、スキャンガラス面に指を直接に接触させるため、多数の人間が使用する場合に、衛生面において課題がある。このような課題を解決するために、次のような技術が開示されている。
【０００４】
特許文献１は、指紋パターンを入力すべき指を接触させる面に汚れやキズがつくのを防止することができ指紋パターンの読み取り制度を向上させることができる指紋入力装置を開示している。特許文献１の指紋入力装置は、光源と、指紋パターンを入力すべき指に接触可能な接触面を所定位置に有している導光手段と、光源からの光によって照射される接触面に指が接触しているとき当該指の指紋パターンによって反射される光を受け取るよう配置されている撮像手段と、接触面を被覆することが可能な被覆手段とを備えており、当該被覆手段は、指の挿入方向に摺動可能であり指が接触面に接触していないときに接触面を被覆するように構成されていることを特徴とする。
【特許文献１】特開平４−０８８５８６号公報
【発明の開示】
【発明が解決しようとする課題】
【０００５】
本発明の目的は、認証すべき指が接触するスキャンガラス面を、高速で確実かつ安全にクリーニングを行うことが可能な、指紋認証機クリーニング装置を提供することである。
【課題を解決するための手段】
【０００６】
本発明の指紋認証機クリーニング装置は、認証すべき指を接触させるスキャン面を有する指紋認証機と、スキャン面に面するように設置され、閉状態でスキャン面を被覆し、開状態でスキャン面を露出するように開閉するシャッターと、クリーニングを行うクリーナーと、シャッターを閉状態にした時に、クリーナーをスキャン面に接触させてスキャン面のクリーニングを行い、クリーニングが完了するとシャッターを開状態にする駆動部とを備える。
【０００７】
本発明の指紋認証機クリーニング方法は、認証すべき指を接触させるスキャン面に面するように設置され、閉状態でスキャン面を被覆し、開状態でスキャン面を露出するように開閉するシャッターを閉状態にするステップと、クリーナーをスキャン面に接触させてスキャン面のクリーニングを行うステップと、クリーニングが完了した後にシャッターを開状態にするステップとを備える。
【発明の効果】
【０００８】
本発明によれば、認証すべき指が接触するスキャンガラス面を、高速で確実かつ安全にクリーニングを行うことが可能な、指紋認証機クリーニング装置を提供することが可能となる。
【発明を実施するための最良の形態】
【０００９】
添付図面を参照して、本発明の実施形態による指紋認証機クリーニング装置を説明する。
【００１０】
［構成の説明］
まず、図１から図８を用いて、本実施形態における指紋認証機クリーニング装置の構成の説明を行う。始めに、図１は、本実施形態における指紋認証機クリーニング装置の構成を表す側面図である。本実施形態における指紋認証機クリーニング装置は、筐体１と、シャッター１０と、指紋認証機３０と、クリーナ５０と、駆動部７０とを備える。
【００１１】
まず、筐体１の説明を行う。筐体１は、シャッター１０と、指紋認証機３０と、クリーナ５０と、駆動部７０と、検知部２１，２２、４１，４２を内部に備える。これらの構成部位については、後ほど説明をおこなう。また、筐体１は、開口部２を有する。開口部２は、指紋認証を行う者（以下、認証ユーザー）の指を、筐体１内に設置される指紋認証機３０の、後述するスキャンガラス面３１に接触させるために設けられている。さらに、筐体１は、敷居４を備える。敷居４は、筐体１内の開口部２とほぼ同じ位置に、開口部２を囲うように設けられている。敷居４は、開口部２と筐体１内を隔てている。
【００１２】
次に、シャッター１０の説明を行う。シャッター１０は、開閉を行うことで、筐体１の開口部２の閉塞と開放を行う。シャッター１０は、筐体１の開口部２の直下に、開口面と平行に備えられる。シャッター１０は、開口面に対して平行にスライドが可能である。シャッター１０は、移動方向１００へスライドすることで、開口部２を開放する。また、シャッター１０は、移動方向１０１へスライドすることで、開口部２を閉塞する。シャッター１０は、駆動部７０によって駆動されて、開口部２を開放または閉塞する。なお、シャッター１０のスライド方向は、これに限定しない。シャッター１０は、閉状態で開口部２を閉塞し、開状態で開口部２を開放する構成となっていれば、スライドする方向は問わない。
【００１３】
ここで、図２及び図３を用いて、シャッター１０の開放及び閉塞状態を説明する。まず、図２は、シャッター１０が筐体１の開口部２を閉塞した状態を示した、指紋認証機クリーニング装置の平面図である。図２を参照すると、シャッター１０が開口部２を閉塞しているため、開口部２に指紋認証機３０のスキャンガラス面３１を確認することはできない。指紋認証機３０は、この状態で、スキャンガラス面３１のクリーニングを行う。シャッター１０は、移動方向１００へスライドすることで、開口部２を開放する。
次に、図３は、シャッター１０が筐体１の開口部２を開放した状態を示した、指紋認証機クリーニング装置の平面図である。図３を参照すると、シャッター１０が開口部２を開放しているため、開口部２に指紋認証機３０とスキャンガラス面３１を確認することができる。認証ユーザーは、この状態でスキャンガラス面３１へ指を接触させて指紋認証を行う。シャッター１０は、移動方向１００へスライドすることによって開口部２を閉塞する。
【００１４】
次に、再び図１を用いて、指紋認証機３０の説明を行う。指紋認証機３０は、指紋認証処理によって認証ユーザーの特定を行う。指紋認証機３０は、認証ユーザーの指紋を撮像装置によって撮影して、予め指紋認証サーバ等に記憶している指紋パターンと照合を行うことによって認証ユーザーの特定を行う。本実施形態において、筐体１内に設置された指紋認証機３０は、後述するスキャンガラス面３１と、図示されない光源、撮像装置、画像データ送信装置等の認証ユーザーの指紋画像を取り込むために通常必要な部位を備えている。また、指紋認証処理は、筐体１の外部に設置された図示されない処理装置が行う。指紋認証機３０は、処理装置と接続されて動作する。本実施形態において、指紋認証機３０は、従来技術によるため詳細な説明は省略する。指紋認証機３０は、外部の処理装置から認証処理開始の指紋認証機制御信号を入力すると、認証ユーザの指の撮影を開始する。
【００１５】
前述のとおり、指紋認証機３０は、スキャンガラス面３１を備える。認証ユーザーは、指紋認証を行うために、スキャンガラス面３１へ認証ユーザの指を接触させる。なお、スキャンガラス面３１の素材は、ガラスに限定しない。スキャンガラス面３１は、ガラスの他に代替し得る素材によって構成される場合を含む。指紋認証機３０は、撮像装置によって、スキャンガラス面３１に接触した指からの反射光を撮影する。そのため、スキャンガラス面３１が、誇りや皮脂によって汚れていると、正確な指紋認証が行えない。そこで、本実施形態では、指紋認証機３０を機械的にクリーニングを行う。そのために、指紋認証機３０は、筐体１内で移動可能である。指紋認証機３０は、筐体１内で移動方向１０２と、移動方向１０３へ移動することが可能である。指紋認証機３０は、駆動部７０によって駆動されて、移動方向１０２及び移動方向１０３へ移動する。
【００１６】
ここで、図４及び図５を用いて、筐体１内における指紋認証機３０の移動について説明する。まず、図４は、開口部２が開放状態での指紋認証機３０の位置を示した、指紋認証機クリーニング装置の側面図である。認証ユーザーは、この状態でスキャンガラス面３１に指を接触させる。指紋認証機３０は、認証ユーザーの指をスキャンガラス面３１に接触可能にするため、筐体１内で敷居４より最も開口部２側に位置（以下、認証時位置と呼ぶ。）している。指紋認証機３０は、図示されていない駆動部７０によって、移動方向１０２へ移動可能である。
次に、図５は、開口部２が閉塞状態での指紋認証機３０の位置を示した、指紋認証機クリーニング装置の側面図である。指紋認証機３０は、この状態からスキャンガラス面３１のクリーニングを開始する。指紋認証機３０は、クリーナー５０によるスキャンガラス面３１のクリーニングを開始可能とするため、筐体１内の敷居４より最も奥に位置している（以下、クリーニング開始位置）。指紋認証機３０は、シャッター１０が開口部２を閉塞した後、図示されていない駆動部７０によって、クリーニング開始位置へ移動される。指紋認証機３０は、図示されていない駆動部７０によって、クリーニング開始位置から移動方向１０３へ移動しながら、クリーナー５０によってクリーニングを行われる。なお、指紋認証機３０は、筐体１の底部に設置された図示されないレール等によって、筐体１の内部における認証時位置とクリーニング開始位置を設定されてもよい。なお、指紋認証機３０の移動方向はこれに限定しない。認証時位置に位置する場合は開口部２直下に位置し、クリーニング開始位置に位置場合は、クリーナー５０によるクリーニングが開始可能なように位置すれば、移動する方向は問わない。
【００１７】
次に、再び図１を用いて、クリーナー５０の説明を行う。クリーナー５０は、クリーニングテープ５１を回転させて、スキャンガラス面３１をクリーニングする。クリーナー５０は、指紋認証機３０が認証時位置に位置しているときは、スキャンガラス面３１に接しない位置で待機している（以下、待機位置と呼ぶ。）。クリーナー５０は、指紋認証機３０が、クリーニング開始位置まで移動すると、図示されない駆動部７０によって、スキャンガラス面３１に接する位置まで移動する（以下、接触位置と呼ぶ。）。指紋認証機３０は、クリーナー５０がスキャンガラス面３１に接した状態で、クリーニング開始位置から認証時位置まで移動する。クリーナー５０は、指紋認証機３０がクリーニング開始位置から認証時位置まで移動する間、クリーニングテープ５１を回転させ、スキャンガラス面３１をクリーニングする。また、クリーナー５０はカセット式で取り外しが可能である。そのため、クリーナー５０は、容易に交換することが可能である。
【００１８】
ここで、図６及び図７を用いて、クリーナー５０とスキャンガラス面３１との位置関係を説明する。まず、図６は、指紋認証機３０が、認証時位置に位置するときのクリーナー５０の状態を示した側面図である。この状態で、認証ユーザーは、スキャンガラス面３１に指を接触させて指紋認証を行う。そのため、指紋認証機３０は、認証時位置に位置する。また、クリーナー５０は、待機位置に位置する。指紋認証処理を完了すると、指紋認証機３０は、図示されない駆動部７０によって移動方向１０２へ移動される。
次に、図７は、指紋認証機３０が、クリーニング開始位置に位置する時のクリーナー５０の状態を示した側面図である。この状態において、シャッター１０は、閉塞している。指紋認証機３０は、図示されていない駆動部７０によって移動され、クリーニング開始位置に位置する。クリーナー５０は、駆動部７０によって移動方向１０４へ移動され、接触位置に位置する。指紋認証機３０は、駆動部７０によって移動方向１０３へ移動される。この時、クリーナー５０は、駆動部７０によって移動方向１０５へクリーニングテープ５１を回転させる。クリーナー５０は、クリーニングテープ５１のスキャンガラス３１との接触部分を、指紋認証機３０の移動方向と逆方向に回転させる。このようにして、クリーナー５０は、スキャンガラス面３１のクリーニングを行う。クリーナー５０は、指紋認証機３０が駆動部７０によってクリーニング開始位置から認証時位置へ移動するまでの間、クリーニングを行う。
【００１９】
なお、クリーナー５０の移動方向は、これに限定しない。クリーナー５０は、接触位置においてスキャンガラス面３１とクリーニング可能に接触し、待機位置においてスキャンガラス面３１と離れていれば、移動方向は問わない。
さらに、本実施形態では、クリーナー５０の接触位置と待機位置を物理的な位置関係により区別している。これは、クリーナー５０の位置を変化させずに区別することとしても良い。この場合、例えば、接触位置にあるべき状態では、スプリング等によって、スキャンガラス面３１とクリーナー５０の接触部分へ圧力かける。一方、待機位置にあるべき状態では、スキャンガラス面３１へ圧力をかけない。このように、クリーナー５０の位置は変更してもよい。また、クリーナ−５０の位置を常に接触位置に位させて、クリーニングテープ５１の回転を行う状態と行わない状態に区別することも可能である。
【００２０】
次に、再び図１を用いて、駆動部７０の説明を行う。駆動部７０は、シャッター１０と、指紋認証機３０と、クリーナー５０と、クリーニングテープ５１に対して、動力を与えて駆動する。駆動部７０は、シャッター１０を駆動して、開口部２を閉塞あるいは開放を行う。駆動部７０は、指紋認証機３０を駆動して、認証時位置とクリーニング開始位置との間を移動させる。駆動部７０は、クリーナー５０を駆動して、待機位置と接触位置との間を移動させる。駆動部７０は、クリーナー５０が接触位置にあるときに、クリーニングテープ５１を回転させる。本実施形態において、指紋認証機３０は、ラック７１を備える。駆動部７０は、ラック７１を契合するピニオン７２を備える。駆動部７０は、図示されない電源から電力を入力する。駆動部７０は、ピニオン７２へ、図示されない動力伝達用のベルト等を介して動力を伝えて回転させる。ラック７１とピニオン７２は契合しており、指紋認証機３０は、ピニオン７２の回転方向に沿って移動方向１０２あるいは移動方向１０３へ移動する。駆動部７０は、同様に方法によってシャッター１０、クリーナー５０、およびクリーニングテープ５１を駆動する。なお、駆動部７０は、ラック７１とピニオン７２を用いて、各部位を駆動する方式に限定しない。例えば、ウォームホイール等を用いて動力を伝達してもかまわない。また、駆動部７０の設置位置は、図１における位置に限定しない。
【００２１】
また、駆動部７０は、シャッター１０、指紋認証機３０、クリーナー５０の動作を制御する。図８を用いて、駆動部７０の制御機能の説明を行う。図８は、駆動部７０の制御機能を説明するための機能ブロック図である。駆動部７０は、シャッター開閉確認部２０と、指紋認証移動確認部４０と、クリーナー位置確認部６０をさらに備える。また、前述のとおり、駆動部７０は、シャッター１０、指紋認証機３０、及びクリーナー５０へ動力を供給して駆動する。
【００２２】
駆動部７０は、筐体１の外部から指紋認証機３０へ送られる認証処理開始の指紋認証機制御信号をトリガとしてクリーニング動作を開始する。なお、駆動部７０の動作開始トリガは、指紋認証機制御信号に限定しない。例えば、認証ユーザーが図示されない認証開始ボタンを押下して動作を開始しても良い。駆動部７０の動作開始トリガは、その他の想定し得る方法によって代替できる。駆動部７０は、クリーニング動作を開始すると、シャッター１０、指紋認証機３０、クリーナー５０を、後述する動作方法の順番で駆動する。
【００２３】
シャッター開閉確認部２０は、検知器２１と検知器２２とからなる。シャッター開閉確認部２０は、駆動部７０と、電気的に接続されている。駆動部７０は、シャッター開閉確認部２０からの電気信号による通知によって、シャッター１０の開放及び閉塞完了を検知する。検知器２１は、シャッター閉塞通知を、駆動部７０へ送出する。また、検知器２２は、シャッター開放通知を、駆動部７０へ送出する。シャッター１０が駆動部７０によって閉塞されると、シャッター１０の端部が検知器２１に到達して検知器２１を押下する。検知器２１は、押下されると電気信号によるシャッター閉塞通知を駆動部７０へ送出する。駆動部７０は、検知器２１からシャッター閉塞通知を入力すると、シャッター１０の閉塞が完了したと検知する。
同様に、シャッター１０が駆動部７０によって開放されると、シャッター１０の端部が、検知器２２に到達して検知器２２を押下する。検知器２２は、押下されると電気信号によるシャッター開放通知を駆動部７０へ送出する。駆動部７０は、検知器２２からのシャッター開放通知を入力すると、シャッター１０の開放が完了したことを検知する。なお、駆動部７０が、シャッター開閉完了を検知する方法はこれに限定しない。駆動部７０は、ピニオン７２の回転数や、動力伝達時間等によってシャッター開閉完了を検知してもかまわない。これらは、当業者が通常想定し得る方法によって代替が可能である。
【００２４】
指紋認証機移動確認部４０は、検知器４１と検知器４２とからなる。指紋認証移動確認部４０は、駆動部７０と、電気的に接続されている。駆動部７０は、指紋認証機移動確認部４０からの電気信号による通知によって、指紋認証機３０の移動完了を検知する。検知器４１は、認証時位置移動通知を、駆動部７０へ送出する。検知器４２は、クリーニング開始位置移動通知を、駆動部７０へ送出する。指紋認証機３０が、駆動部７０によって認証時位置へ移動完了すると、スキャンガラス面３１の端部が検知器４１に到達して検知器４１を押下する。検知器４１は、押下されると電気信号による認証時位置移動通知を、駆動部７０へ送出する。駆動部７０は、検知器４１から認証時位置移動通知を入力すると、指紋認証機３０が認証時位置へ移動完了したと検知する。
同様に、指紋認証機３０が駆動部７０によってクリーニング開始位置へ移動完了すると、スキャンガラス面３１の端部が、検知器４２に到達して検知器４２を押下する。検知器４２は、押下されると電気信号によるクリーニング開始位置移動通知を、駆動部７０へ送出する。駆動部７０は、検知器４２からのクリーニング開始位置移動通知を入力すると、指紋認証機３０がクリーニング開始位置へ移動完了したと検知する。駆動部７０は、ピニオン７２の回転数や、動力伝達時間等によって指紋認証機３０の移動完了を検知してもよい。これらは、当業者が通常想定し得る方法によって代替が可能である。
【００２５】
クリーナー位置確認部６０は、図示されない検知器６１と検知器６２とからなる。クリーナー位置確認部６０は、駆動部７０と、電気的に接続されている。駆動部７０は、クリーナー位置確認部６０からの電気信号による通知によって、クリーナー５０の移動完了を検知する。検知器６１は、待機位置移動通知を、駆動部７０へ送出する。検知器６２は、接触位置移動通知を、駆動部７０へ送出する。クリーナー５０が、駆動部７０によって待機位置へ移動完了すると、クリーナー５０の図示されない駆動軸が検知器６１に到達して検知器６１を押下する。検知器６１は、押下されると電気信号による待機位置移動通知を、駆動部７０へ送出する。駆動部７０は、検知器６１から待機位置移動通知を入力すると、クリーナー５０が待機位置へ移動完了したと検知する。
同様に、クリーナー５０が駆動部７０によって接触位置へ移動完了すると、クリーナー５０の図示されない駆動軸が検知器６２に到達して検知器６２を押下する。検知器６２は、押下されると電気信号による接触位置移動通知を、駆動部７０へ送出する。駆動部７０は、検知器６２からの接触位置移動通知を入力すると、クリーナー５０が接触位置へ移動完了したと検知する。なお、駆動部７０は、ピニオン７２の回転数や、動力伝達時間等によってクリーナー５０の移動完了を検知してもよい。これらは、当業者が通常想定し得る方法によって代替が可能である。
【００２６】
以上が、本実施形態における、指紋認証機クリーニング装置の構成の説明である。
【００２７】
［動作方法の説明］
次に図９を用いて、本実施形態における指紋認証機クリーニング装置の動作方法の説明を行う。図９は、本実施形態における指紋認証機クリーニング装置の動作フローを示している。
【００２８】
（ステップＳ１０）
駆動部７０は、指紋認証機３０の外部処理装置から認証処理開始の指紋認証機制御信号を入力する。駆動部７０は、指紋認証機制御信号を入力すると、クリーニング動作を開始する。
【００２９】
（ステップＳ２０）
駆動部７０は、シャッター１０を駆動して、開口部２を閉塞する。シャッター１０が閉塞すると、シャッター１０の端部は、シャッター開閉確認部２０の検知部２１を押下する。検知部２１は、シャッター閉塞通知を駆動部７０へ出力する。
【００３０】
（ステップＳ３０）
駆動部７０は、検知器２１からのシャッター閉塞通知を入力する。駆動部７０は、シャッター閉塞通知を入力すると、シャッター１０の閉塞が完了したことを検知する。
【００３１】
（ステップＳ４０）
次に、駆動部７０は、指紋認証機３０を駆動して、指紋認証機３０をクリーニング開始位置へ移動する。指紋認証機３０がクリーニング開始位置へ移動すると、スキャンガラス部３１の端部が、指紋認証機移動確認部４０の検知器４２を押下する。検知器４２は、クリーニング開始位置移動通知を、駆動部７０へ出力する。
【００３２】
（ステップＳ５０）
駆動部７０は、検知機４２からのクリーニング開始位置移動通知を入力する。駆動部７０は、クリーニング開始位置移動通知を入力すると、指紋認証機３０がクリーニング開始位置へ移動完了したことを検知する。
【００３３】
（ステップＳ６０）
駆動部７０は、クリーナー５０駆動して、クリーナー５０を接触位置まで移動させ、スキャンガラス面３１へ接触させる。クリーナー５０がスキャンガラス面３１へ接触すると、クリーナー５０の駆動軸が検知器６２を押下する。検知器６２は、接触位置移動通知を、駆動部７０へ出力する。
【００３４】
（ステップＳ７０）
駆動部７０は、検知器６２からの接触位置移動通知を入力する。駆動部７０は、接触位置移動通知を入力すると、クリーナー５０が接触位置へ移動完了したことを検知する。
【００３５】
（ステップＳ８０）
駆動部７０は、指紋認証機３０を駆動して、指紋認証機３０をクリーニング開始位置から認証時位置まで移動する。同時に、駆動部７０は、クリーナー５０のクリーニングテープ５１を図７の移動方向１０５へ回転させて、スキャンガラス面３１をクリーニングする。指紋認証機３０が、認証時位置まで移動すると、スキャンガラス面３１の端部が、指紋認証機移動確認部４０の検知器４１を押下する。検知器４１は、指紋認証機３０の認証時位置移動通知を、駆動部７０へ出力する。
【００３６】
（ステップＳ９０）
駆動部７０は、検知器４１からの認証時位置移動通知を入力する。駆動部７０は、認証時位置移動通知を入力すると、指紋認証機３０が、認証時位置へ移動完了したことを検知する。同時に、駆動部７０は、スキャンガラス面３１のクリーニングが完了したと検知する。  
【００３７】
（ステップＳ１００）
駆動部７０は、クリーニングテープ５１の回転を停止する。駆動部７０は、クリーナー５０を待機位置へ移動して、スキャンガラス面３１から離面する。クリーナー５０が待機位置へ移動すると、クリーナー５０の駆動軸が検知器６１を押下する。検知器６１は、待機位置移動通知を、駆動部７０へ出力する。
【００３８】
（ステップＳ１１０）
駆動部７０は、検知器６１からの、待機位置移動通知を入力する。駆動部７０は、待機位置移動通知を入力すると、クリーナー５０が待機位置へ移動完了したことを検知する。
【００３９】
（ステップＳ１２０）
駆動部７０は、シャッター１０を駆動して、シャッター１０を開放する。シャッター１０が開放すると、シャッター１０の端部は、シャッター開閉確認部２０の検知器２２を押下する。検知器２２は、シャッター開放通知を、駆動部７０へ出力する。
（ステップＳ１３０）
駆動部７０は、検知器２２からの、シャッター開放通知を入力する。駆動部７０は、開放完了通知を入力すると、シャッター１０の開放が完了したことを検知する。駆動部７０は、シャッター１０の開放が完了したのち、指紋認証機３０の外部処理装置へクリーニング完了の通知を出力してもよい。
【００４０】
以上が、本実施形態における、指紋認証機クリーニング装置の動作方法の説明である。ここまで、実施形態を参照して本発明を説明したが、本発明は上記実施形態に限定されるものではない。本発明の構成や詳細には、本発明の範囲内で当業者が理解し得る様々な変更を行うことができる。以下にその一例を示す。
【００４１】
上述の実施形態で、動作方法のステップＳ９０において、駆動部７０は、スキャンガラス面３１のクリーニング完了を、検知部４１からの認証時位置移動通知を入力することによって検知している。ここで、クリーニング完了の検知は、駆動部７０が指紋認証機３０を認証時位置へ移動した後に、指紋認証機３０の外部処理装置によって検知されてもよい。この場合、例えば、駆動部７０から指紋認証機３０の外部処理装置へ確認要求信号を出力する。指紋認証機３０の外部処理装置は、指紋認証機３０へ確認検査開始信号を出力する。指紋認証機３０は、確認検査開始信号を受けて、画像取り込み試験を行う。画像取り込み試験は、認証ユーザーの指の画像を取り込むのと同様の動作で試験画像を取り込む。指紋認証機３０の外部処理装置は、試験画像に基づいて、試験完了判定を行う。試験完了判定は、試験画像における輝度分散が閾値より小さいことによって確認しても良いし、汚れがなく状態が良好なスキャンガラス面３１の画像を完了判定用画像として予め取得しておき、この完了判定用画像と試験画像との輝度を比較することなどによって試験完了判定を行っても良い。指紋認証機３０の外部処理装置は、試験完了判定が良好と判定すると、駆動部７０へ試験完了通知を出力する。駆動部７０は、試験完了通知を入力することでスキャンガラス面３１のクリーニング完了を検知する。このように、指紋認証機３０の外部処理装置が、クリーニング完了を確認する動作としても良い。
【００４２】
次に、上述の実施形態で、駆動部７０は、指紋認証機３０がクリーニング開始位置から認証時位置まで移動する間に、クリーナー５０によってクリーニングを行うように制御している。これは、指紋認証機３０が、認証時位置からクリーニング開始位置に移動するまでの間にクリーニングを行う構成としても良い。また、指紋認証機３０が、認証時位置からクリーニング位置を往復する間、継続的にクリーニングを行う構成としても良い。このような場合、クリーナー５０のクリーニングテープ５１は、駆動部７０によって駆動される指紋認証装置３０の移動方向に対応して、回転方向を変えても良い。あるいは、回転方向がそれぞれ異なるクリーニングテープ５１を２セット用意して、指紋認証機３０の方向に合わせて使い分けても良い。さらに、クリーニングテープ５１にアルコール等を付着させる機構を設けて、より効率的にクリーニングを行うようにしてもよい。
【００４３】
また、上述の実施形態で、駆動部７０は、指紋認証機３０を移動することでクリーニングを行うよう制御している。これは、駆動部７０が、クリーナー５０を移動することでクリーニングを行うように制御することでも実現可能である。駆動部７０は、クリーナー５０が、認証時位置に位置する指紋認証機３０のスキャンガラス面３１上を、クリーニングテープ５１を回転させてクリーニングしながら移動させる制御としてもよい。この場合にもシャッター１０は閉じているのため、安全にクリーニングを行うことができる。
【００４４】
さらに、本実施形態で、動作方法のステップＳ２０において、駆動部７０は、クリーニング動作の開始時にシャッター１０を閉塞している。これを、駆動部７０は、指紋認証処理が完了した後にシャッター１０を閉じてクリーニングを行い、クリーニング完了後もシャッター１０を閉塞したまま保持し、次の指紋認証処理が開始する時にシャッター１０を開放する動作方法としても良い。この場合に駆動部７０は、次のような動作方法となる。駆動部７０は、指紋認証機３０の外部処理装置から指紋認証完了の通知を入力する。駆動部７０はシャッター１０を閉塞してクリーニング動作を開始する。駆動部７０は、クリーニング完了を確認した時点で、シャッター１０を閉塞したまま待機する。その後、駆動部７０は、指紋認証機３０の外部装置から指紋認証開始の指紋認証機制御信号を受信した時に、シャッター１０を開放する。認証ユーザーがスキャンガラス面３１に指を接触させ、指紋認証機３０は指紋認証処理を行う。このような動作方法とすることによって、指紋認証処理の行われない待機中においても、スキャンガラス面３１を保護することが可能となる。
【００４５】
このように、本発明の指紋認証機クリーニング装置は、次のような効果を有する。まず、シャッター１０、指紋認証機３０、クリーナー５０、及びクリーニングテープ５１は、駆動部７０の動力によって駆動されるため、高速で確実なスキャンガラス面３１のクリーニング動作を実現できる。次に、駆動部７０は、シャッター１０を閉じた状態でスキャンガラス面３１をクリーニングするよう制御を行うため、安全にクリーニング動作を行うことが可能となる。さらに、クリーナー５０は、カセット式で着脱可能であるため、容易に交換を行うことができ、多数の認証ユーザーが認証処理を行う場面にも適応できる。
以上により、本発明の指紋認証機クリーニング装置は、高速で確実かつ安全なクリーニングを実現することが可能である。
【図面の簡単な説明】
【００４６】
【図１】指紋認証機クリーニング装置の構成を表す側面図である。
【図２】シャッター１０が筐体１の開口部２を閉塞した状態を示した、指紋認証機クリーニング装置の平面図である。
【図３】シャッター１０が筐体１の開口部２を開放した状態を示した、指紋認証機クリーニング装置の平面図である。
【図４】開口部２が開放状態での指紋認証機３０の位置を示した、指紋認証機クリーニング装置の側面図である。
【図５】開口部２が閉塞状態での指紋認証機３０の位置を示した、指紋認証機クリーニング装置の側面図である。
【図６】指紋認証機３０が、認証時位置に位置するときのクリーナー５０の状態を示した側面図である。
【図７】指紋認証機３０が、クリーニング開始位置に位置する時のクリーナー５０の状態を示した側面図である。
【図８】駆動部７０の制御機能を説明するための機能ブロック図である。
【図９】指紋認証機クリーニング装置の動作フローである。
【符号の説明】
【００４７】
１  筐体
２  開口部
４  敷居
１０  シャッター
２０  シャッター開閉確認部
２１  検知器
２２  検知器
３０  指紋認証機
３１  スキャンガラス面
４０  指紋認証機移動確認部
４１  検知器
４２  検知器
５０  クリーナー
５１  クリーニングテープ
６０  クリーナー位置確認部
６１  検知器
６２  検知器
７０  駆動部
７１  ラック
７２  ピニオン
１００  移動方向
１０１  移動方向
１０２  移動方向
１０３  移動方向
１０４  移動方向
１０５  回転方向
【図１】
0004484087.tif 000002
【図２】
0004484087.tif 000003
【図３】
0004484087.tif 000004
【図４】
0004484087.tif 000005
【図５】
0004484087.tif 000006
【図６】
0004484087.tif 000007
【図７】
0004484087.tif 000008
【図８】
0004484087.tif 000009
【図９】
0004484087.tif 000010